(57)【要約】【課題】複数の被連結部材を、工具を用いることなく、容易に且つ強固に連結可能な連結具の構成を得る。【解決手段】連結具１は、折り曲げられた線状部材１０によって構成され、複数の被連結部材を連結するための連結具である。連結具１は、ベース部１１と、一部がベース部１１に接続されるとともにベース部１１に対向して配置され、ベース部１１との間で前記複数の被連結部材を挟み込む押さえ部２１と、を備える。ベース部１１は、押さえ部２１との間に前記複数の被連結部材のそれぞれ一部を収納する保持部１２と、保持部１２に向かって前記複数の被連結部材を移動させる際にガイドとして機能するガイド部１４と、保持部１２とガイド部１４との間に位置し、前記複数の被連結部材が抜け出すことを防止するための抜け止め部１３と、を有する。【選択図】図１
2019015296.tif 000002
【特許請求の範囲】
【請求項１】
折り曲げられた線状部材によって構成され、複数の被連結部材を連結するための連結具であって、
前記線状部材の一部が平行に配置されたベース部と、
一部が前記ベース部に接続されるとともに前記ベース部に対向して配置され、前記ベース部との間で前記複数の被連結部材を挟み込む押さえ部と、
を備え、
前記ベース部は、
前記押さえ部との間に前記複数の被連結部材のそれぞれ少なくとも一部を収納する保持部と、
前記ベース部における前記押さえ部との接続部分とは反対側に位置し、前記保持部に向かって前記複数の被連結部材を移動させる際にガイドとして機能するガイド部と、
前記保持部と前記ガイド部との間に位置し、前記保持部内に位置する前記複数の被連結部材が抜け出すことを防止するための抜け止め部と、
を有する、連結具。
【請求項２】
請求項１に記載の連結具において、
前記ベース部及び前記押さえ部は、一本の前記線状部材が折り曲げられることにより構成されている、連結具。
【請求項３】
請求項１または２に記載の連結具において、
前記抜け止め部は、前記押さえ部側に向かって、前記保持部及び前記ガイド部よりも突出している、連結具。
【請求項４】
請求項３に記載の連結具において、
前記抜け止め部は、前記ベース部及び前記押さえ部の並び方向において、前記ベース部とは反対側に向かって前記押さえ部よりも突出している、連結具。
【請求項５】
請求項１から４のいずれか一つに記載の連結具において、
前記線状部材は、金属材料によって構成されている、連結具。
【請求項６】
請求項１から５のいずれか一つに記載の連結具において、
前記複数の被連結部材は、屋根の支持部材と壁部との隙間に配置される面戸と、前記支持部材とを含み、
前記面戸と前記支持部材とを連結する、連結具。
【請求項７】
請求項６に記載の連結具において、
前記面戸は、枠部と、前記枠部の内方に穴部が格子状に設けられた格子部とを有し、
前記枠部と前記支持部材とを連結する、連結具。
【発明の詳細な説明】
【技術分野】
【０００１】
本発明は、複数の被連結部材を連結する連結具に関する。
【背景技術】
【０００２】
複数の被連結部材を連結する連結具の構成として、様々な構成が知られている。前記連結具として、例えばボルト及びナットなどが挙げられる。前記連結具としてボルト及びナットを用いた場合、前記ボルト及びナットの締結によって被連結部材同士を強固に連結することができる。
【０００３】
連結具によって複数の被連結部材が連結された構造として、例えば特許文献１に開示される折板屋根の面戸の取付構造が知られている。この取付構造では、板状の部材を厚み方向に折り曲げることによって形成された折板屋根において上方に向かって突出する部分の下方に面戸が配置された状態で、前記折板屋根と前記面戸とがボルト及びナットの締結によって連結されている。
【０００４】
これにより、折板屋根と壁部との間の隙間を、前記折板屋根に固定された面戸によって覆うことができる。なお、前記取付構造において、前記ボルト及び前記ナットが連結具を構成する。
【先行技術文献】
【特許文献】
【０００５】
【特許文献１】特開平７−３３１８４号公報
【発明の概要】
【発明が解決しようとする課題】
【０００６】
上述のように、連結具としてボルト及びナットを用いて、複数の被連結部材を連結する場合、ボルト及びナットの締結作業が必要になる。しかも、ボルト及びナットによって複数の被連結部材を連結する場合には、工具を用いて、ボルト及びナットを締結する必要がある。そのため、ボルト及びナットの締結作業の手間がかかる。
【０００７】
特に、上述の特許文献１のような面戸を屋根に取り付ける作業において、上述のように連結具としてボルト及びナットを用いると、屋根上の高所で、長時間の作業を行う必要がある。しかも、作業者は、ボルト及びナットを締結するための工具を把持する必要があるため、安全性の確保に十分注意する必要がある。
【０００８】
また、上述のように連結具としてボルト及びナットを用いた場合には、振動等によってボルト及びナットの締結が緩む可能性がある。そのため、ボルト及びナットの締結の緩みを防止可能な構成を採用する必要がある。
【０００９】
一方、ボルト及びナット以外の連結具の構成も知られているが、上述の特許文献１のように屋根に面戸を取り付ける場合には、前記面戸が前記屋根から落下しないように、複数の被連結部材をより強固に連結可能な連結具が望まれる。
【００１０】
本発明の目的は、複数の被連結部材を、工具を用いることなく、容易に且つ強固に連結可能な連結具の構成を得ることにある。
【課題を解決するための手段】
【００１１】
本発明の一実施形態に係る連結具は、折り曲げられた線状部材によって構成され、複数の被連結部材を連結するための連結具である。この連結具は、前記線状部材の一部が平行に配置されたベース部と、一部が前記ベース部に接続されるとともに前記ベース部に対向して配置され、前記ベース部との間で前記複数の被連結部材を挟み込む押さえ部と、を備える。前記ベース部は、前記押さえ部との間に前記複数の被連結部材のそれぞれ少なくとも一部を収納する保持部と、前記ベース部における前記押さえ部との接続部分とは反対側に位置し、前記保持部に向かって前記被連結部材を移動させる際にガイドとして機能するガイド部と、前記保持部と前記ガイド部との間に位置し、前記保持部内に位置する前記被連結部材が抜け出すことを防止するための抜け止め部と、を有する（第１の構成）。
【００１２】
以上の構成のように、一部が接続されたベース部と押さえ部との間に複数の被連結部材を挟み込むことにより、前記複数の被連結部材を容易に連結することができる。
【００１３】
しかも、前記ベース部は、前記押さえ部との間に前記複数の被連結部材のそれぞれ一部を収納する保持部と、該保持部内に位置する前記複数の被連結部材が抜け出すことを防止する抜け止め部とを有するため、前記複数の被連結部材をより強固に連結することができる。
【００１４】
また、前記ベース部は、前記保持部に向かって前記複数の被連結部材を移動させる際にガイドとして機能するガイド部を有する。これにより、前記複数の連結部材を、前記保持部に向かってスムーズに移動させることができる。よって、前記複数の被連結部材を連結具によって容易に連結できる。
【００１５】
したがって、上述の構成により、工具を用いることなく、容易に且つ強固に複数の被連結部材を連結可能な連結具が得られる。
【００１６】
前記第１の構成において、前記ベース部及び前記押さえ部は、一本の前記線状部材が折り曲げられることにより構成されている（第２の構成）。これにより、連結具を簡単な構成によって実現できる。よって、連結具の製造コストを低減できる。
【００１７】
前記第１または第２の構成において、前記抜け止め部は、前記押さえ部側に向かって、前記保持部及び前記ガイド部よりも突出している（第３の構成）。これにより、ベース部において保持部とガイド部との間に位置する抜け止め部によって、ベース部と押さえ部との間に挟み込まれている複数の被連結部材が抜け出ることをより確実に防止できる。よって、連結具によって、前記複数の被連結部材をより確実に連結することができる。
【００１８】
前記第３の構成において、前記抜け止め部は、前記ベース部及び前記押さえ部の並び方向において、前記押さえ部よりも外方に突出している（第４の構成）。これにより、抜け止め部によって、複数の被連結部材が抜け出ることをさらに確実に防止できる。よって、連結具によって、前記複数の被連結部材をさらに確実に連結することができる。
【００１９】
前記第１から第４の構成のうちいずれか一つの構成において、前記線状部材は、金属材料によって構成されている（第５の構成）。これにより、折り曲げられた線状部材によって構成された連結具は、ベース部と押さえ部との間に、複数の被連結部材をより強固に保持できる。よって、前記複数の被連結部材をより強固に連結することができる。しかも、前記線状部材を金属材料によって構成することにより、前記線状部材を折り曲げることによって容易に形成することができる。
【００２０】
前記第１から第５の構成のうちいずれか一つの構成において、前記複数の被連結部材は、屋根を支持する支持部材と壁部との隙間に配置される面戸と、前記支持部材とを含む。連結具は、前記面戸と前記支持部材とを連結する（第６の構成）。
【００２１】
このように、屋根を支持する支持部材と面戸との連結に、上述の構成を有する連結具を用いることにより、前記支持部材と前記面戸とを容易に且つ強固に連結することができる。よって、屋根上での高所作業を短時間で工具を用いることなく安全に行うことができる。すなわち、前記支持部材と前記面戸との連結に上述の構成を有する連結具を用いると、より効果的である。
【００２２】
前記第６の構成において、前記面戸は、枠部と、前記枠部の内方に穴部が格子状に設けられた格子部とを有する。連結具は、前記枠部と前記支持部材とを連結する（第７の構成）。
【００２３】
これにより、屋根と壁部との間に風を通しつつ鳥などの侵入を防止可能な面戸の枠部を、連結具によって、前記屋根を支持する支持部材に容易に且つ強固に連結することができる。
【発明の効果】
【００２４】
本発明の一実施形態に係る連結具は、ベース部と、該ベース部に一部が接続されるとともに前記ベース部に対向して配置される押さえ部とを備える。前記ベース部は、複数の被連結部材のそれぞれ一部を収納する保持部と、該保持部に向かって前記複数の被連結部材を移動させる際にガイドとして機能するガイド部と、前記保持部と前記ガイド部との間に位置し、前記保持部内に位置する前記複数の被連結部材が抜け出すことを防止する抜け止め防止部とを有する。
【００２５】
これにより、複数の被連結部材を、ベース部と押さえ部とによって挟み込んで連結することができる。したがって、前記連結具によって、工具を用いることなく、複数の被連結部材を容易に且つ強固に連結することができる。
【図面の簡単な説明】
【００２６】
【図１】図１は、本発明の実施形態に係る連結具の全体構成を示す斜視図である。
【図２】図２は、連結具によって、折板屋根を支持する支持部材と面戸とを連結した状態を示す斜視図である。
【図３】図３は、図２におけるＩＩＩ−ＩＩＩ線断面において、連結具によって、折板屋根を支持する支持部材と面戸とを連結する様子を模式的に示す図である。
【発明を実施するための形態】
【００２７】
以下、図面を参照し、本発明の実施の形態を詳しく説明する。なお、各図中の構成部材の寸法は、実際の構成部材の寸法及び各構成部材の寸法比率等を忠実に表したものではない。
【００２８】
図１は、本発明の実施形態に係る連結具１の概略構成を示す斜視図である。図２は、連結具１によって複数の被連結部材（折板屋根２の支持部材５、面戸４）を連結した状態を示す斜視図である。この連結具１は、例えば板状の部材が折り曲げられることによって得られる折板屋根２（屋根）の支持部材５と、面戸４とを連結するための部品である。すなわち、連結具１は、後述するように、例えば折板屋根２の支持部材５と面戸４の後述する枠部４１とを折板屋根２の厚み方向に挟み込むことにより、折板屋根２の支持部材５と面戸４とを連結する。
【００２９】
折板屋根２は、金属製の板状部材が厚み方向に複数個所で突出するように曲げられることにより、厚み方向に突出した複数の凸部２ａを有する。複数の凸部２ａは、それぞれ、一方向に延びるように平行に形成されている。折板屋根２は、建物の壁部３の上側に配置されている。なお、図２では、説明のために、折板屋根２を破線で示す。
【００３０】
折板屋根２は、壁部３の上側に固定された金属製の支持部材５に固定されている。すなわち、支持部材５は、折板屋根２を支持している。支持部材５は、折板屋根２と同様、金属製の板状部材が厚み方向に複数個所で突出するように曲げられることにより、厚み方向に突出した凸部５ａを有する。凸部５ａ上に、折板屋根２の凸部２ａが位置付けられた状態で、折板屋根２は支持部材５に図示しないボルト等によって固定されている。前記一方向において、複数の凸部５ａの長さは、折板屋根２の凸部２ａの長さよりも短い。
【００３１】
面戸４は、折板屋根２を支持する支持部材５の凸部５ａの下方で且つ凸部５ａと壁部３との間に位置するように、連結具１によって支持部材５に連結される。面戸４の詳しい構成については、後述する。
【００３２】
なお、本実施形態では、複数の被連結部材の一例として、折板屋根２を支持する支持部材５及び面戸４が挙げられているが、被連結部材は、連結部１によって連結可能な構成を有する部材であれば、支持部材５及び面戸４以外の部材であってもよい。
【００３３】
本実施形態では、図２に示すように、連結具１は、支持部材５の凸部５ａの一対の側面５ｂと面戸４の後述する枠部４１とをそれぞれ連結する。すなわち、連結具１は、折板屋根２を支持する支持部材５に対して一対の側面５ｂにそれぞれ取り付けられている。なお、連結具１は、支持部材５に対して１箇所に取り付けられていてもよいし、３箇所以上に取り付けられていてもよい。
【００３４】
以下で、図１及び図２を用いて、連結具１の構成について説明する。
【００３５】
連結具１は、１本の金属製（例えばステンレス製）の線状部材１０を折り曲げることによって構成されている。すなわち、連結具１は、金属製の線状部材１０によって一体に形成されている。
【００３６】
連結具１は、ベース部１１と、押さえ部２１とを有する。ベース部１１及び押さえ部２１は、１本の金属製の線状部材１０を折り曲げることによって、一体に形成されている。すなわち、ベース部１１と押さえ部２１とは、Ｕ字状に曲げられた線状部材１０に設けられた折曲部１０ａと開口部１０ｂとが重なるように、線状部材１０を折り返すことによって形成される。よって、押さえ部２１は、折曲部１０ａを有する一方、ベース部１１は、開口部１０ｂを有する。
【００３７】
上述の構成により、ベース部１１と押さえ部２１とは、対向して配置されている。また、ベース部１１と押さえ部２１とは、Ｕ字状に曲げられた線状部材１０が折り返されることによって形成された折り返し部１０ｃ（接続部分）によって接続されている。
【００３８】
押さえ部２１は、長手方向における折り返し部１０ｃとは反対側、すなわち、長手方向の先端側に、折曲部１０ａを有する。すなわち、押さえ部２１は、平面視でＵ字状である。
【００３９】
ベース部１１は、Ｕ字状に曲げられた線状部材１０の開口部１０ｂ側の一部を構成し且つ互いに平行な一対の棒状部１０ｄを有する。すなわち、開口部１０ｂは、一対の棒状部１０ｄの先端側に形成されている。
【００４０】
ベース部１１は、保持部１２と、抜け止め部１３と、ガイド部１４とを有する。保持部１２、抜け止め部１３及びガイド部１４は、一対の棒状部１０ｄにおいて、それぞれ、長手方向に、折り返し部１０ｃ側から順に形成されている。すなわち、ベース部１１は、保持部１２、抜け止め部１３及びガイド部１４を、それぞれ一対有する。また、保持部１２は、一対の棒状部１０ｄの長手方向において、折り返し部１０ｃ側に位置し、ガイド部１４は、一対の棒状部１０ｄにおいて、先端側に位置する。抜け止め部１３は、一対の棒状部１０ｄの長手方向において、保持部１２とガイド部１４との間に位置する。
【００４１】
保持部１２は、押さえ部２１との間に所定の間隔を有する隙間Ｄを形成するように、押さえ部２１に対して離間している。保持部１２と押さえ部２１との間に形成される隙間Ｄは、連結具１によって折板屋根２の支持部材５と面戸４の後述する枠部４１とが連結された状態において、支持部材５及び面戸４の後述する枠部４１が位置付けられるような大きさを有する。
【００４２】
保持部１２は、一対の棒状部１０ｄの長手方向の中央部分に折曲部１２ａを有する。これにより、保持部１２と押さえ部２１との間隔（隙間Ｄの間隔）は、前記長手方向において、保持部１２の両端部よりも中央部において大きい。よって、支持部材５及び面戸４の枠部４１は、前記長手方向における保持部１２の両端部と押さえ部２１との間に挟み込まれる。
【００４３】
なお、隙間Ｄにおける前記所定の間隔は、隙間Ｄ内に支持部材５及び枠部４１を配置した状態で、保持部１２及び押さえ部２１によって支持部材５を保持可能な間隔である。これにより、支持部材５及び面戸４の枠部４１をベース部１１と押さえ部２１との間に挟み込んだ状態で、隙間Ｄ内に支持部材５及び面戸４の枠部４１を位置付けることが可能になる。
【００４４】
抜け止め部１３は、ベース部１１及び押さえ部２１の並び方向において、ベース部１１とは反対側に向かって押さえ部２１よりも突出している。すなわち、抜け止め部１３は、一対の棒状部１０ｄがそれぞれ前記並び方向にベース部１１とは反対側に突出するように屈曲することにより形成されている。
【００４５】
これにより、折板屋根２を支持する支持部材５及び面戸４の後述する枠部４１を、保持部１２と押さえ部２１との間に挟み込んだ状態で、すなわち、隙間Ｄ内に位置付けた状態で、支持部材５及び枠部４１が保持部１２と押さえ部２１との間から抜け出ることを、抜け止め部１３によって防止できる。
【００４６】
なお、本実施形態では、一対の棒状部１０ｄにそれぞれ設けられた抜け止め部１３は、一対の棒状部１０ｄの並び方向において、押さえ部２１の外方にそれぞれ位置する。すなわち、押さえ部２１は、一対の抜け止め部１３の間に位置する。これにより、後述するように、連結具１によって支持部材５と面戸４の後述する枠部４１とを連結する際に、押さえ部２１とベース部１１との間に、支持部材５及び面戸４の後述する枠部４１をスムーズに挟み込むことができる。
【００４７】
ガイド部１４は、ベース部１１の一対の棒状部１０ｄの先端側に位置し、一対の棒状部１０ｄの先端に向かうほど押さえ部２１から離間するように傾斜している。また、ガイド部１４の抜け止め部１３側は、ベース部１１及び押さえ部２１の並び方向において、ベース部１１とは反対側に向かって押さえ部２１よりも突出している。よって、ガイド部１４は、抜け止め部１３側から長手方向の中央部分に向かって、押さえ部２１に近づくとともに、前記中央部分から長手方向の先端側に向かうほど押さえ部２１に対して離間している。
【００４８】
これにより、一対の棒状部１０ｄの先端側と押さえ部２１の先端側との間から保持部１２に向かって、支持部材５及び面戸４の後述する枠部４１が進入した際に、支持部材５及び面戸４の後述する枠部４１を、ガイド部１４に沿って押さえ部２１側に移動させることができる。支持部材５及び面戸４の後述する枠部４１がベース部１１と押さえ部２１との間に挟み込まれる様子については、後述する。
【００４９】
（面戸）
次に、面戸４の構成について、図１を用いて説明する。
【００５０】
図１に示すように、面戸４は、平面視で略三角形のパネル状の部材である。面戸４は、折板屋根２を支持する支持部材５の凸部５ａと壁部３との隙間を覆うように配置される。
【００５１】
具体的には、面戸４は、略三角形状の枠部４１と、枠部４１の内方を覆うように枠部４１に固定された格子部４２とを有する。
【００５２】
枠部４１は、金属製（例えばステンレス製）の線状部材を略三角形状に折り曲げることによって形成される。枠部４１における前記線状部材の合わせ部分は、螺旋状部材４３によって固定される。螺旋状部材４３は、金属製の細い線状部材を螺旋状に曲げることによって形成される。螺旋状部材４３によって枠部４１における前記線状部材の合わせ部分を固定することにより、略三角形状の枠部４１が構成される。
【００５３】
格子部４２は、格子状に配置された六角形状の複数の穴部４２ａを形成する金属製の網部材を有する。特に図示しないが、前記網部材の表面は、樹脂（例えばポリエチレンなど）によって被覆されている。
【００５４】
格子部４２は、平面視で略三角形状の外形を有する。格子部４２の外周側は、リング状に形成された金属製のリング部材４４によって、枠部４１に複数個所で固定されている。なお、格子部４２の外周側を枠部４１に固定する部材は、樹脂製のリング状の部材であってもよいし、テープや紐などであってもよい。また、格子部４２の外周側を枠部４１に接着剤で固定してもよいし、枠部４１に対して、格子部４２の金属製の網部材を直接固定してもよい。
【００５５】
上述のような構成を有する面戸４は、後述するように、連結具１によって、支持部材５の凸部５ａと壁部３との隙間を覆うように支持部材５に取り付けられる。このように、面戸４を支持部材５の凸部５ａと壁部３との隙間を覆うように支持部材５に取り付けることにより、支持部材５の凸部５ａと壁部３との隙間に鳥等が侵入することを防止できる。しかも、面戸４は、複数の穴部４２ａを有する格子部４２を備えているため、風等は通過することができる。
【００５６】
（連結具による連結動作）
次に、上述のような構成を有する連結具１によって、支持部材５と面戸４の枠部４１とを連結する動作について、図３を用いて説明する。
【００５７】
図３（ａ）に示すように、まず、連結具１のベース部１１のガイド部１４と押さえ部２１との間に支持部材５及び面戸４の枠部４１を位置づけた状態で、連結具１を支持部材５及び面戸４に対して押し付ける（図の白抜き矢印参照）。
【００５８】
これにより、図３（ｂ）に示すように、支持部材５及び面戸４の枠部４１は、ガイド部１４及び押さえ部２１に接触しつつ、押さえ部２１をガイド部１４から離間させる。すなわち、連結具１のベース部１１及び押さえ部２１は、支持部材５及び面戸４の枠部４１によって押し広げられる。
【００５９】
連結具１を支持部材５及び面戸４の枠部４１に対してさらに押し付けることにより、図３（ｃ）に示すように、支持部材５及び面戸４の枠部４１は、連結具１の抜け止め部１３を乗り越えて、保持部１２に達する。これにより、支持部材５及び面戸４の枠部４１は、隙間Ｄ内に位置付けられるとともに、保持部１２と押さえ部２１とに挟み込まれて保持される。よって、支持部材５及び面戸４の枠部４１は、ベース部１１と押さえ部２１とによって、連結される。抜け止め部１３によって、支持部材５及び面戸４の枠部４１が連結具１の保持部１２と押さえ部２１との間から抜け出ることを防止できる。
【００６０】
連結具１は、既述のように、ベース部１１に、ベース部１１及び押さえ部２１の並び方向に突出する抜け止め部１３を有する。そのため、支持部材５及び面戸４の枠部４１は、保持部１２と押さえ部２１との間に挟み込まれた状態で、抜け止め部１３によって、保持部１２と押さえ部２１との間から抜け出ることを防止できる。
【００６１】
以上により、折板屋根２を支持する支持部材５及び面戸４の枠部４１を、連結具１によって、ボルト等を用いることなく容易に且つ強固に連結することができる。
【００６２】
なお、連結具１から、支持部材５及び面戸４の枠部４１を取り外す際には、ベース部１１の抜け止め部１３を押さえ部２１に対して離間させた状態（接触状態を解除した状態）で、連結具１から支持部材５及び面戸４を抜き取ることにより、スムーズに取り外すことができる。
【００６３】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【００６４】
前記実施形態では、連結具１によって連結される被連結部材の一例として、折板屋根２を支持する支持部材５及び面戸４の枠部４１について説明した。しかしながら、連結具１によって連結される被連結部材は、連結具１のベース部１１及び押さえ部２１によって挟み込んで連結可能な複数の部材であれば、どのような部材であってもよい。
【００６５】
前記実施形態の面戸４は、枠部４１と、格子部４２とを有するが、格子部ではなく板状の部材を有する面戸や、該板状の部材に少なくとも一つの穴部が設けられた面戸であってもよい。また、面戸の形状は、平面視で略三角形状以外の形状（例えば四角形状などの多角形状など）であってもよい。
【００６６】
前記実施形態では、連結具１のベース部１１における一対の抜け止め部１３の間に、押さえ部２１が位置付けられている。しかしながら、抜け止め部１３は、押さえ部２１の内方に位置付けられていてもよい。
【００６７】
前記実施形態では、連結具１のベース部１１の抜け止め部１３は、ベース部１１及び押さえ部２１の並び方向に、ベース部１１とは反対側に向かって押さえ部２１よりも突出している。しかしながら、抜け止め部は、ベース部１１及び押さえ部２１の並び方向に、ベース部１１とは反対側に向かって突出していれば、押さえ部２１よりも突出していなくてもよい。
【００６８】
前記実施形態では、連結具１は、一本の金属製の線状部材を折り曲げることによって形成されている。しかしながら、連結具は、複数の線状部材が溶接によって接続されていてもよいし、樹脂製など金属材料以外の材料によって構成された線状部材によって形成されていてもよい。
【００６９】
前記実施形態では、連結具１及び面戸４の枠部４１は、それぞれステンレス製である。しかしながら、連結具１及び面戸４の枠部４１は、金属製であれば、ステンレス以外の金属材料によって構成されていてもよい。また、連結具１及び面戸４の枠部４１は、樹脂などの金属材料以外の材料によって構成されていてもよい。
【産業上の利用可能性】
【００７０】
本発明は、複数の被連結部材を連結する連結具に利用可能である。
【符号の説明】
【００７１】
１  連結具
２  折板屋根（屋根）
２ａ  凸部
３  壁部
４  面戸
５  支持部材
５ａ  凸部
５ｂ  側面
１０  線状部材
１０ａ  折曲部
１０ｂ  開口部
１０ｃ  折り返し部（接続部分）
１０ｄ  棒状部
１１  ベース部
１２  保持部
１２ａ  折曲部
１３  抜け止め部
１４  ガイド部
２１  押さえ部
４１  枠部
４２  格子部
４２ａ  穴部
４３  螺旋状部材
４４  リング部材
Ｄ  隙間
【図１】
2019015296.tif 000003
【図２】
2019015296.tif 000004
【図３】
2019015296.tif 000005